Podtech/llm-jp-corpus-v4-ja_patent huggingface dataset:
(57)【要約】      （修正有）【課題】設置場所の制約が少なく、動力装置もなく、そのわりには除菌材や芳香材などの機能を発揮するコンパクトな身回り環境改善具としての快適空間生成シールを提供する。【解決手段】ベースシート１の片面に除菌、脱臭、芳香など回りの空気に快適性を付与する機能材２を積層もしくは印刷してその表面を保護シート３Ａで覆い、他面に粘着材を積層してその表面を別の保護シート３Ｂで覆う。【選択図】図１
0003193366.tif 000002
【実用新案登録請求の範囲】
【請求項１】
ベースシートの片面に除菌、脱臭、芳香など回りの空気に快適性を付与する機能材を積層もしくは印刷してその表面を保護シートで覆い、他面に粘着材を積層してその表面を別の保護シートで覆って成る快適空間生成シール。
【請求項２】
タック性を有するベースシートの片面に除菌、脱臭、芳香など回りの空気に快適性を付与する機能材を積層もしくは印刷してその表面を保護シートで覆い、他面を別の保護シートで覆って成る快適空間生成シール。
【考案の詳細な説明】
【技術分野】
【０００１】この考案は、室内や車内など身の回り空間の空気を快適にするコンパクトなシールないしラベルもしくは張り紙状のグッズに関する。
【背景技術】
【０００２】室内や車内など身の回り空間（空気）を快適にする手段としては、除菌、防塵、脱臭、或いは芳香付与などがあり、そのためには様々な抗菌性、脱臭性、或いは芳香付与などの機能を有する物質（本願では機能材と称する）を容器に収めて解放し、或いは散布ないし噴霧し、或いは空調機や空気清浄器など機械装置を稼働させるなどの方法がとられているのは周知の通りである。
【考案の開示】
【考案が解決しようとする課題】
【０００３】このような現状の除菌・脱臭・芳香具等は、いずれも一定の立体的な大きさを有していて設置場所に制約があり、また積極的に効果を与えるために動力装置を必要とするなどの問題点があった。本考案はこのような設置場所の制約が少なく、動力装置もなく、そのわりには除菌材や芳香材などの機能を発揮させやすいコンパクトな身回り環境改善具を提供することを課題とする。
【課題を解決するための手段】
【０００４】プラスチックフィルムまたはワッペンシートのようなベースシート１の片面に除菌、脱臭、芳香など回りの空気に快適性を付与する機能材２を積層もしくは印刷してその表面を保護シート３Ａで覆い、他面に粘着材４を積層してその表面を別の保護シート３Ｂで覆って、本考案の快適空間生成シールとする。【０００５】快適性を付与する機能材２としては、光触媒作用により滅菌機能を発揮する酸化チタン、微細構造の莫大な表面積による吸着性から脱臭・除菌機能を発揮する活性炭、ゼオライト、ブラックシリカ等、及び除菌に加えて精神安定やアロマテラピー機能を発揮するフィトンチッド（森林浴成分）、ヒノキチオール、その他薔薇やラベンダー等の芳香材などが挙げられる。【０００６】このような快適性を付与する機能材２は空気に接触して効果を発揮するものであるから、ベースシート１に積層するにあたり、その材料は表面が空気に露出しているか、又はごく薄い透気性樹脂の皮膜を形成する程度のバインダーによる塗料を用いるのが良い。或いはいわゆる電着塗装技術による方法もある。【０００７】なおベースシート１自体に十分なタック性がある場合は粘着材４を省略しても良いが、本考案ではこの場合も実質的に粘着材４を積層した場合と均等とみなす。【０００８】本考案の快適空間生成シールの輪郭形状や大きさは特に問わないが、取り扱い上手頃で、例えば扇風機の羽根に貼着する場合では、直径数ｃｍ程度の略円形のものが挙げられる。この場合は扇風機の羽根の回転により強制的に空気が当該シールの保護シート３Ａを剥がした機能材２に当たって、その風が送り込まれるから、その機能が甚だ効果的に発揮できる。【０００９】なお必要に応じ、保護シート３Ａの表面に広告、カレンダー、格言などを印刷することは任意であり、また機能材２自体をインキにしてベースシート１に印刷してもよい。
【考案の効果】
【００１０】このように本考案によれば、身の回り環境の快適化をはかるために設置場所の制約を受けることが甚だ少なく、超軽量、低コストで、機能材も甚だ多数・多種類に渡って用いることができ、広告媒体などコミュニケーション手段としても利用しやすいなどの効果がある。
【考案を実施するための最良の形態】
【００１１】酸化チタン微粉末を約２０Ｗ％含むインキ（塗料）を機能材２とし、これで裏面保護シート３Ｂ付きの貼着ラベル用ベースシート１の表面に図柄等を印刷（ベタ塗装）し、これを用途に応じ所定寸法に裁断し、密封状のフィルム袋内に収めた場合はこれをもって保護シート３Ａとして製品化する。【００１２】上記製品が直径約５ｃｍの円形である場合、これを扇風機の各羽根の前面に貼着すれば、強制的にこれに当たった空気は蛍光灯などの光により滅菌されて送風される。また機能材２が芳香材や森林浴材であれば、それが速やかに放出される。【００１３】なお家屋の室内でなく、振動する車両内などであっても、ほとんど場所を選ばず任意に貼着取り付けができる。
【産業上の利用可能性】
【００１４】本考案の快適空間生成シールはニーズが多く、量産も容易であるから、産業上の利用可能性は十分にある。
【図面の簡単な説明】
【００１５】
【図１】本考案一例の見取図
【図２】本考案一例の拡大断面図
【符号の説明】
【００１６】１……ベースシート  ２……機能材  ３Ａ，３Ｂ……保護シート  ４……粘着材
【図１】
0003193366.tif 000003
【図２】
0003193366.tif 000004
(57)【要約】      （修正有）【課題】いつも新鮮な水を補給して花などがしおれにくくした花びんを提供する。【解決手段】花びん１であって、底部に小さな穴をあけたことを特徴とし、また底部の小さな穴から落ちる水を受ける容器３を底下に設け、さらに、上部に小さな穴をあけたことを特徴とする。上部の小さな穴の周囲に新鮮な水を補給する水が入る容器２を設け、上部の小さな穴から新鮮な水を補給し、底部の小さな穴から古い水を排出することを特徴とする。【選択図】図１
0003193362.tif 000002
【実用新案登録請求の範囲】
【請求項１】
花びんの底に小さい穴をあけて、ぽたっぽたっ、と点滴状に中の水を落としていく、
【請求項２】
花びんの上部に小さな穴をあけて、ぽたっぽたっ、と点滴状に花びんの中に水を補充させる、
【請求項３】
請求項１，２の花びんの底下に古い水が点滴状に落ちてきて入る容器がある、
【請求項４】
請求項１，２の花びんの上部に新鮮な水を点滴状に補給する小さい穴も一緒に入るように周りに、新鮮な水を補給する水が入る容器を取り付ける、
【請求項５】
花びんの中の古い水がいつも排出されてそしていつも新鮮な水が補給されていて花などがしおれにくくや枯れにくい、
【考案の詳細な説明】
【技術分野】
【０００１】
花びんの中にいつも新鮮な水を補給して花などがしおれにくい、
【背景技術】
【０００２】
いままでの花びんは中の水がすぐ汚れてしまい、花などがすぐしおれたり枯れたりしていた、
【考案の開示】
【課題を解決するための手段】
【０００３】
花びんの中にいつも新鮮な水を補給して花などをしおれたりや枯れたりしにくくさせる、
【考案の効果】
【０００４】
花びんの中にいつも新鮮な水を補給して花などをしおれたりや枯れたりしにくくさせる、
【考案を実施するための最良の形態】
【０００５】
請求項１は図２の５のように花びんの底に小さい穴をあけて、ぽたっぽたっ、、と６のように点滴状に中の７の水を落としていく、１は花びん、
【０００６】
請求項２は図２，５の１０のように花びんの上部に小さい穴をあけて、ぽたっぽたっ、と４の新鮮な水を１１のように点滴状に中の７の水に補給させる、
【０００７】
請求項３は図１，２，３の３のように花びんの底下に、古い水が点滴状に落ちてきて入る容器がある、８は古い水が容器の中にたまっている、
【０００８】
請求項４は図１，２の２のように花びんの上部に新鮮な水を点滴状に補給する小さな穴も一緒に入るように周りに、新鮮な水を補給する水が入る容器を取り付けている、４は新鮮な水、
【図面の簡単な説明】
【０００９】
【図１】花びんと、底下の古い水がたまる容器と、花びん上部の周りに新鮮な水を補給する容器が取り付けている、
【図２】図１の中を明細に示している、
【図３】花びんと、花びんの上部の周りに新鮮な水を補給する容器が取り付けている、
【図４】花びんの底下にはまって、古い水が点滴状に落ちてきて溜まる容器、
【図５】図１，２，３を上部から見た図、
【符号の説明】
【００１０】
１  花びん、
２  花びん上部の周りに新鮮な水が入る容器、
３  花びんの底下にはまって、古い水が点滴状に落ちてきて溜まる容器、
４  花びんの上部の周りに新鮮な水が入る容器の中の新鮮な水、
５  花びんの底に小さな穴をあけて、ぽたっぽたっ、と古い水を点滴状に落とす、その穴、
６  花びんの底に小さな穴をあけて、ぽたっぽたっ、と古い水が点滴状に落ちている、
７  花びんの中のいつも新鮮な水、
８  花びんの底下にはまっている容器に、古い水が、ぽたっぽたっ、と点滴状に落ちて
たまっている、
９  花びんの底下にはまる容器の穴、
１０  花びんの上部の小さな穴、新鮮な水を、ぽたっぽたっ、と点滴状に花びんの中に落
とす、その穴、
１１  花びんの上部の小さい穴から新鮮な水が、ぽたっぽたっ、と点滴状に花びんの中に落ちている
【図１】
0003193362.tif 000003
【図２】
0003193362.tif 000004
【図３】
0003193362.tif 000005
【図４】
0003193362.tif 000006
【図５】
0003193362.tif 000007
【手続補正書】
【提出日】平成26年7月18日(2014.7.18)
【手続補正１】
【補正対象書類名】実用新案登録請求の範囲
【補正対象項目名】全文
【補正方法】変更
【補正の内容】
【実用新案登録請求の範囲】
【請求項１】
底部に小さな穴をあけたことを特徴とする花びん。
【請求項２】
前記底部の小さな穴から落ちる水を受ける容器を底下に設けた請求項１に記載の花びん。
【請求項３】
上部に小さな穴をあけたことを特徴とする請求項１または２に記載の花びん。
【請求項４】
前記上部の小さな穴の周囲に新鮮な水を補給する水が入る容器を設けたことを特徴とする請求項３に記載の花びん。
【請求項５】
前記上部の小さな穴から新鮮な水を補給し、前記底部の小さな穴から古い水を排出することを特徴とする請求項３または４に記載の花びん。
【手続補正２】
【補正対象書類名】図面
【補正対象項目名】全図
【補正方法】変更
【補正の内容】
【図１】
0003193362.tif 000008
【図２】
0003193362.tif 000009
【図３】
0003193362.tif 000010
【図４】
0003193362.tif 000011
【図５】
0003193362.tif 000012
【手続補正書】
【提出日】平成26年8月27日(2014.8.27)
【手続補正１】
【補正対象書類名】図面
【補正対象項目名】全図
【補正方法】変更
【補正の内容】
【図１】
0003193362.tif 000013
【図２】
0003193362.tif 000014
【図３】
0003193362.tif 000015
【図４】
0003193362.tif 000016
【図５】
0003193362.tif 000017
(57)【要約】      （修正有）【課題】炊飯時の「蒸らし」を適切に行うことができる土鍋を提供する。【解決手段】内蓋１２と外蓋１３を透明ガラスで成形する。土鍋本体１１の内部を透視しての米の炊き上がりの状態や、内蓋１２の通気穴１２ｂを通って内蓋１２と外蓋１３の間の空間Ｓに吹き出た煮汁を観察できる。そのため、二重の蓋１２，１３を開けて「蒸らし」を終了するタイミングを適切に決めることができるので、米をふっくらと炊き上げることができる。【選択図】図１
0003193399.tif 000002
【実用新案登録請求の範囲】
【請求項１】
上部に開口を有し、開口の下方内側にリング状の鍔部を形成した土鍋本体と、
通気穴を有し、鍔部に載置して開口を覆蓋する内蓋と、
鍔部に載置した内蓋に被せられ、土鍋本体の内部から内蓋の通気穴を通って吹き出た煮汁が溜まる空間を内蓋との間に形成する外蓋を備えた土鍋であって、
内蓋及び外蓋を透明ガラスで成形したことを特徴とする土鍋。
【考案の詳細な説明】
【技術分野】
【０００１】
本考案は、土鍋に関し、より詳しくは炊飯に好適な土鍋に関する。
【背景技術】
【０００２】
土鍋の一形式として、特開平１１−７６０５４号公報及び特開２００８−２９５９６９号公報には、土鍋本体の上面開口を内蓋と外蓋の二重蓋で塞ぐようにした土鍋が開示されている。
二重蓋の土鍋で炊飯すると、土鍋本体の内部で沸騰した煮汁が内蓋に形成した通気穴を通って吹き出し、内蓋とその上に被せた外蓋との間の空間に吹き出た煮汁が溜まるので、炊飯時、沸騰した煮汁が土鍋本体の外部に零れ出るのを防止できる。
また、内蓋と外蓋で形成される空間の空気層の断熱作用によって土鍋本体の保温効果が高められる。
【先行技術文献】
【特許文献】
【０００３】
【特許文献１】特開平１１−７６０５４号公報
【特許文献２】特開２００８−２９５９６９号公報
【考案の概要】
【考案が解決しようとする課題】
【０００４】
ところで、米は炊き上がって直ぐには、米粒全体に熱や水分が行き渡らない。米粒の中にもある程度の水分が存在するが、炊飯直後は表面の水分の方が多くなっている。この状態で炊き上がった米を食すと、まだ芯が残ったような食感になる。そこで、表面の水分を内部に行き渡らせるため「蒸らし」が必要となる。土鍋による炊飯で、「蒸らし」を行う場合、米が炊き上がった後、火を止めて、蓋を開けずに一定時間そのままの状態を保つ。この「蒸らし」を行うことで米粒の中まで火が通り、ふっくらと炊き上がる。
【０００５】
しかし、土鍋による炊飯で「蒸らし」を行う場合、蓋を開けるタイミングが早すぎると、土鍋本体内部の熱が逃げて冷めてしまい、炊き上がった米を蒸らすことができない。一方、蓋を開けるタイミングが遅すぎると炊き上がった米がべたつく。
【０００６】
普通、土鍋による炊飯では「蒸らし」の時間を１０〜１５分程度行うが、ふっくらと米を炊き上げるに最適な「蒸らし」の時間は、米と水の分量や火加減でその都度異なり、各自が経験則に頼って「蒸らし」を行うので、往々にして失敗することがある。
本考案はかかる事情に鑑みてなされたものであって、炊飯時の「蒸らし」を適切に行うことができる土鍋を提供することを目的とする。
【課題を解決するための手段】
【０００７】
請求項１に記載の考案は、上部に開口を有し、開口の下方内側にリング状の鍔部を形成した土鍋本体と、
通気穴を有し、鍔部に載置して開口を覆蓋する内蓋と、
鍔部に載置した内蓋に被せられ、土鍋本体の内部から内蓋の通気穴を通って吹き出た煮汁が溜まる空間を内蓋との間に形成する外蓋を備えた土鍋であって、
内蓋及び外蓋を透明ガラスで成形したことを特徴とする。
【考案の効果】
【０００８】
請求項１に記載の考案によれば、内蓋と外蓋を透明ガラスで成形したので、土鍋本体内部を透視して米の炊き上がりの状態や、内蓋の通気穴を通って内蓋と外蓋の間の空間に吹き出た煮汁を観察できる。そのため、二重蓋を開けて「蒸らし」を終了するタイミングを適切に決めることができるので、米をふっくらと炊き上げることができる。
【図面の簡単な説明】
【０００９】
【図１】本考案の実施例に係る土鍋を示す断面図である。
【実施例】
【００１０】
以下に本考案の一実施例に係る土鍋１０を図１に基づき説明する。当該土鍋１０は陶器製の土鍋本体１１と、内蓋１２及び外蓋１３を備えている。土鍋本体１１は上部開口１１ａを有する大径部１１ｂとその下部の小径部１１ｃから成り、大径部１１ｂと小径部１１ｃの連接部となる上部開口１１ａの下方内側にはリング状の下側鍔部１１ｄと上側鍔部１１ｅが形成されている。また、土鍋本体１１の外側に２個の取手１１ｆが設けられている。
【００１１】
内蓋１２と外蓋１３はいずれも、透明ガラス製で、それぞれ中央部に摘み１２ａ，１３ａが取り付けられている。内蓋１２には２箇所に通気穴１２ｂが形成されている。また、外蓋１３には一箇所に通気穴１３ｂが形成されている。
【００１２】
本実施例に係る土鍋１０の構造は以上の通りであって、米と適量の水を土鍋本体１１に入れ、下側鍔部１１ｄに内蓋１２を載置して上部開口１１ａを覆蓋し、外蓋１３を上側鍔部１１ｅに載置して外蓋１３を内蓋１２に被せる。これにより、内蓋１２と外蓋１３の間に空間Ｓが形成される。
【００１３】
土鍋１０を火にかけて加熱すると、やがて土鍋本体１１の内部の水が沸騰して煮汁が内蓋１２の通気穴１２ｂから吹き出る。吹き出た煮汁は内蓋１２と外蓋１３で区画形成された空間Ｓに溜まる。
【００１４】
本実施例に係る土鍋１０によれば、内蓋１２と外蓋１３を透明ガラスで成形したので、土鍋本体１１の内部を透視しての米の炊き上がりの状態や、内蓋１２の通気穴１２ｂを通って内蓋１２と外蓋１３の間の空間Ｓに吹き出た煮汁を観察できる。そのため、二重の蓋１２，１３を開けて「蒸らし」を終了するタイミングを適切に決めることができるので、米をふっくらと炊き上げることができる。
【符号の説明】
【００１５】
１０…土鍋
１１…土鍋本体
１１ｄ…下側鍔部
１１ｅ…上側鍔部
１２…内蓋
１２ｂ…通気穴
１３…外蓋
Ｓ…空間
【図１】
0003193399.tif 000003
(57)【要約】      （修正有）【課題】ベルトを使用せずに身体の希望の部位に容易に装着することができる腕時計を提供する。【解決手段】裏面に粘着体２を有し、粘着体が身体の表面に接着することにより、腕時計１が身体の表面上に仮固定されることを特徴とする。また、激しい運動を行うなど粘着体の接着力だけでは腕時計を仮固定することが困難なときには、腕時計の外周を超える範囲で腕時計全体を覆う接着性を有する透明のシールを用いて身体表面への接着を補助し、腕時計の身体からの離落を防止する。【選択図】図２
0003193335.tif 000002
【実用新案登録請求の範囲】
【請求項１】
ベルトを有さない腕時計であって、前記腕時計の裏面に粘着体を有し、前記粘着体が身体の表面に接着することにより、前記腕時計が身体の表面上に仮固定されることを特徴とする腕時計。
【請求項２】
前記腕時計の外周を超える範囲で前記腕時計全体を覆う透明のシールを有し、前記腕時計の装着時において、前記透明のシールの前記腕時計の外周を超える部分が身体表面に接着することにより、前記腕時計が前記身体表面から離落することを防止することを特徴とする請求項１に記載の腕時計。
【考案の詳細な説明】
【技術分野】
【０００１】
本考案は、ベルトを使用しない腕時計に関する。
【背景技術】
【０００２】
従来の腕時計は、ベルトを使用して手首に巻きつけるものが知られている。
【考案の概要】
【考案が解決しようとする課題】
【０００３】
従来の腕時計はベルトを使用するため、手首のほぼ決まった位置にのみ固定が可能であって、希望する位置がベルト装着位置でない場合には、その位置に固定することができない。
【０００４】
また、ベルトを使用する腕時計は、装着時にベルトを緩める手間を要するほか、緩くベルトを締めていると、腕を上げて時刻を確認するときに時計表示板が１２時方向にずれてしまい見にくくなることがある。通常、このような時刻視認時のずれを防ぐためにベルトをきつく巻くことが多いが、きつく締めるほど腕に不快感を覚えるようになる。
【０００５】
上述の問題点に鑑み、本考案においては、ベルトを使用せずに身体の希望の部位に容易に装着することができる腕時計を提供することを課題とする。
【課題を解決するための手段】
【０００６】
上記課題を解決するために、本考案に係る腕時計は、裏面に粘着体を有し、該粘着体が身体の表面に接着することにより、前記腕時計が身体の表面上に仮固定されることを特徴とする。
【０００７】
また、激しい運動を行うなど前記粘着体の接着力だけでは腕時計を仮固定することが困難なときには、腕時計の外周を超える範囲で前記腕時計全体を覆う接着性を有する透明のシールを用いて身体表面への接着を補助し、腕時計の身体からの離落を防止する。
【考案の効果】
【０００８】
ベルトを使用せずに身体に装着することができるため、身体の希望の部位に腕時計を装着することができる。
【０００９】
装着時及び脱着時にベルトを緩める手間を要しないほか、ベルトをきつく締めたときの不快感から解放される。
【００１０】
腕を上げて時刻を確認するときに生じやすい、腕時計のベルト回転方向へのずれが起きない。
【図面の簡単な説明】
【００１１】
【図１】本考案に係る腕時計を手の甲に装着した状態を示す斜視図である。
【図２】本考案に係る腕時計の裏面からの正面図と側面図である。
【図３】補助シールを使用して腕時計を装着した状態を示す斜視図である。
【考案を実施するための形態】
【００１２】
以下、本考案の実施形態について図を用いて説明する。
【００１３】
前述したように本考案に係る腕時計１は、図２に示すように裏面に粘着体２を有する。本実施形態においては粘着体２として、市販の両面テープを使用する。両面テープ２は、腕時計１の形状に合わせて切り、腕時計１の裏面全体に接着させることが望ましい。
【００１４】
図１は、ベルト式の腕時計では装着することができない手の甲に、本考案に係る腕時計１を接着・仮固定した状態を示す。
【００１５】
激しい運動が予想され、両面テープ２だけでは不安なときには、図３に示すように、粘着性のあるシール３を腕時計１の外周を超える径に切って、腕時計１を覆う形で腕時計１とともに身体に接着する。
【００１６】
以上、本考案の有する特徴を、上記実施形態に記載したが、本考案は、本考案の原理の範囲内で、本願の実用新案登録請求の範囲で使用されている言葉を広く一般的な意味にまで広げて実施することが可能である。特に粘着体と補助テープの素材や大きさについては、様々な実施形態が可能であり、それらは本考案の技術的範囲に含まれるものと解する。
【符号の説明】
【００１７】
１  腕時計
２  粘着体(両面テープ)
３  シール
【図１】
0003193335.tif 000003
【図２】
0003193335.tif 000004
【図３】
0003193335.tif 000005
(57)【要約】      （修正有）【課題】自治体指定のゴミ袋を、保管の際の面積を確保し、取り出しの際には、１枚毎に取り出すことができ、また、ゴミ袋の各サイズに適応した自治体指定ごみ袋適応ストッカーを提供する。【解決手段】自治体指定ごみ袋をまとめて保管する際、冷蔵庫等に張り付けて、縦型に場所を取らず収納を可能とし、ポールに掛けて上部の取り出し穴１から取り出す構造により、大きなゴミ袋も一枚ずつ取り出せるよう工夫した、自治体指定ごみ袋にも適応したサイズ展開を特徴としている。【選択図】図１
0003193252.tif 000002
【実用新案登録請求の範囲】
【請求項１】
市町村指定ごみ袋をまとめて保管する際、冷蔵庫等に張り付けて、縦型に場所を取らず収納を可能とし、ポールに掛けて上部の取り出し穴から取り出す構造により、大きなゴミ袋も一枚ずつ取り出せるよう工夫した、自治体指定ごみ袋にも適応したサイズ展開を特徴としている自治体指定ごみ袋適応ストッカー。
【考案の詳細な説明】
【技術分野】
【０００１】
本考案は、自治体指定ゴミ袋適応ストッカーに関するものである
【背景技術】
【０００２】
自治体指定ゴミ袋は販売されていても、それを収納するための指定ゴミ袋サイズに適応したストッカーは、一緒に販売されていない。また、自治体指定ゴミ袋は、ビニール袋に入って小売されているのみのため、数枚重ねて畳まれた状態で保管することが多く、面積を要するのが現状である。これを、縦型に、冷蔵庫等に張り付けて壁面収納できるようになると収納スペースを小さくできる。さらに、数十枚のゴミ袋が１つのビニール袋に畳んで入った状態で小売されているため、使用時には、一枚取りだしたくても、数枚出てきてしまう現状がある。これを本ストッカーに収納すれば、取り出し口から1枚ずつ容易に取り出しが可能となる。
【先行技術文献】
【特許文献】
【０００３】
【特許文献１】実開平5-91478
【考案の概要】
【考案が解決しようとする課題】
【０００４】
解決しようとする問題点は３つ。１つめは、ゴミ袋の収納に面積を要する点。２、取り出しの際、数枚一緒に出てきてしまう点。３、市町村指定ゴミ袋に適応したストッカーがない点。この３つの課題を解決する。
【課題を解決するための手段】
【０００５】
１、容器内にポールを渡し、そのポールに掛けるようにしてゴミ袋を収納することで収納スペースを縮小し、薄型に収納可能にする。（本容器へのゴミ袋収納時は一枚ずつとりださず、小売の袋からまとめて取り出してポールにかけて二つ折りになるように収納する。）
さらに「背面にマグネットをつける」、「壁掛け穴を設ける」、ことで冷蔵庫や壁等に張り付けて壁面収納を可能にする。これにより収納面積を縮小し収納可能にする。
２、小売の市町村ゴミ袋をまとめて容器内のポールに掛けて収納し、使用時には、上部の取り出し口から袋を引き出すことでゴミ袋を一枚ずつ容易に取り出すことを可能にする。
3、市町村指定のごみ袋の各サイズに適応する。
【考案の効果】
【０００６】
ポールに掛けたゴミ袋を上から取り出せるように穴をあけることで一枚ずつ取り出すことができるという利点がある。また、購入したゴミ袋をまとめて本ストッカー内のポールに掛けて収納することで、小売のビニール袋に畳まれたままの状態での収納面積より大幅に収納面積を縮小して収納できるという利点がある。また、本ストッカーを使用することで引き出し等に入れなくても、冷蔵庫などに貼り付けて収納可能なため必要時取り出しやすくなるという利点もある。自治体指定ゴミ袋を収納する専用のスペースがスリムなスペースでも確保できる。
【図面の簡単な説明】
【０００７】
【図１】図１本ストッカーを正面から捉えた図
【図２】図２本ストッカーを側面から捉えた図。上部の点線丸は内部のポール設置部分を示している。
【図３】図３本ストッカーを背面からとらえた図。設置時はこの面を冷蔵庫など磁石の使用可能な場所に張り付けて使用する。
【図４】図４本ストッカーの内部を正面から示した図。内部にポールを通してある。
【図５】図５本ストッカーを上部からとらえた図。取り出し穴が開いており内部のポールが見えている状態を示している。ゴミ袋を掛けるとポールでなくゴミ袋がみえる。
【考案を実施するための形態】
【０００８】
内部にポールを通してあり、そこにまとめてゴミ袋を掛けて収納することで縦型収納が可能。本ストッカーを上部に穴が開いており、ポールに掛けたゴミ袋を１枚ずつ抜き出す構造。ゴミ袋を詰め替える際は前面を開けてまとめてゴミ袋と出し入れする。
【実施例】
【０００９】
上部に空いた穴からゴミ袋を一枚ずつ抜き出す。詰め替える際は前面を開けてまとめてゴミ袋を内部のポールに掛ける。
【産業上の利用可能性】
【００１０】
市民が一般廃棄物を排出しようとする場合には指定収集袋(指定ゴミ袋)を使用することになっており、各家庭では指定ゴミ袋を小売店等で購入し使用しているところがほとんどのため、各家庭での実用が見込まれる。飲食店や小売店、各企業や自治体の事務所等でも同様に指定ゴミ袋を使用しているため全企業や自治体の事務所や小売店、飲食店等ゴミを指定ゴミ袋に入れて捨てるところではどこでも、キャビネットなどに貼り付けての使用が見込まれる。
【符号の説明】
【００１１】
1  取り出し穴
2  開閉用留め具
3  サイズ展開
3-1  サイズ例１  自治体指定ゴミ袋大サイズＶｒ．（縦333ｍｍ  横453ｍｍ  Ａ３収納用サイズ）
3-2  サイズ例２  自治体指定ごみ袋中サイズＶｒ．（縦261ｍｍ  横357ｍｍ  Ａ４収納用サイズ）
3-3  サイズ例３  レジ袋サイズ等応用可能。自治体によって指定ゴミ袋の大中小などの呼称は異なる場合があるので必要に応じてサイズ、呼称等変更対応する）
4  奥行(薄さ)
５  直径１２mm程度のポール(上部全開で取り出し可)
６  壁掛け穴
７  ３ｋｇ以上支えられる磁石
【図１】
0003193252.tif 000003
【図２】
0003193252.tif 000004
【図３】
0003193252.tif 000005
【図４】
0003193252.tif 000006
【図５】
0003193252.tif 000007
(57)【要約】      （修正有）【課題】棺に納められた故人と最後の別れをする際に目にすることになる拝顔用扉の裏面に装飾を施し、華やかで、これまでの棺とは趣の異なる棺を提供する。【解決手段】間伐材の集成材を使用した棺１であって、蓋３には遺体の顔に対応した部分に拝顔用窓４が設けられ、上記拝顔用窓には拝顔用扉５が観音開き状に蝶番等によって開閉自在に取り付けられ、上記拝顔用扉は、突板に刺繍６で模様が施され間伐材の集成材の表面に貼着して作成された木製化粧板で構成され、刺繍模様が施された面が拝顔用扉５の裏面になるように配置されている。【選択図】図１
0003193259.tif 000002
【実用新案登録請求の範囲】
【請求項１】
間伐材の集成材を使用した棺であって、蓋には遺体の顔に対応した部分に拝顔用窓が設けられ、上記拝顔用窓には拝顔用扉が観音開き状に蝶番等によって開閉自在に取り付けられ、上記拝顔用扉は、突板に刺繍模様が施され間伐材の集成材の表面に貼着して作成された木製化粧板で構成され、刺繍模様が施された面が拝顔用扉の裏面になるように配置されていることを特徴とする棺。
【考案の詳細な説明】
【技術分野】
【０００１】
本考案は、木製の火葬に付する棺に関するものである。
【背景技術】
【０００２】
一般に、棺本体と蓋とからなる木製の棺が使われており、環境保全、資源活用の観点から、間伐材を利用した棺が考案されている（特許文献１参照）。
そして、蓋には拝顔用窓が設けられ、拝顔用窓には拝顔用扉が観音開き状に蝶番等によって開閉自在に取り付けられ、拝顔用扉の裏面は扉の材質がそのまま現れていることが多い。そのため、拝顔用扉の裏面に経文等を付したものが考案されている（特許文献２参照）。
【先行技術文献】
【特許文献】
【０００３】
【特許文献１】実用新案登録第３１５７８６２号公報
【特許文献２】実用新案登録第３０９８３３７号公報
【考案の概要】
【考案が解決しようとする課題】
【０００４】
しかし、特許文献２に示す棺では、拝顔用扉の裏面に、経文等を直接墨等で付すか、紙等を貼着するか、レーザー等で刻字するものであって、華やかさに欠けるものであった。
そこで、本考案は、拝顔用扉の裏面に装飾を施し、豪華さを持たせた棺を提供することを目的とする。
【課題を解決するための手段】
【０００５】
上記目的を達成するために、本考案の棺は、間伐材の集成材を使用し、蓋には遺体の顔に対応した部分に拝顔用窓が設けられ、上記拝顔用窓には拝顔用扉が観音開き状に蝶番等によって開閉自在に取り付けられ、上記拝顔用扉は、突板に刺繍模様が施され間伐材の集成材の表面に貼着して作成された木製化粧板で構成され、刺繍模様が施された面が拝顔用扉の裏面になるように配置されている。
【考案の効果】
【０００６】
この考案によれば、拝顔用扉の裏面に、刺繍模様が施され、棺に納められた故人と最後の別れをする際に目にすることになり、華やかで、これまでの棺とは趣の異なる棺を提供することができる。
【図面の簡単な説明】
【０００７】
【図１】本考案に係る棺の斜視図である。
【図２】木質化粧板を示す図である。
【考案を実施するための形態】
【０００８】
以下、本考案に係る棺の一実施の形態について、図１に基づいて説明する。
図１は本考案に係る棺の斜視図を示している。棺１は間伐材の集成材を使用し、棺本体２と、蓋３とからなる。蓋３には棺本体１に納められた遺体の顔に対応した部分に拝顔用窓４が設けられている。拝顔用窓４には拝顔用扉５が観音開き状に蝶番１０によって開閉自在に取り付けられている。
【０００９】
図２において、拝顔用扉５は刺繍模様付きの木質化粧板を使用する。刺繍模様付きの木質化粧板は、間伐材の杉、桧を突板７に飾り刺繍柄を施工し、間伐材の集成材８の表面に貼着して木質化粧板が作成されている。特に杉材を突板７にすると表面に微細なクラックが生じるため、突板７の表面性状は安定化されている。飾り刺繍の図柄として鳳凰等の模様を施し、刺繍模様の施された面が扉の裏面となるように拝顔用窓に配置されている。
【００１０】
通夜及び葬儀において、棺は祭壇の前部に安置され、拝顔用扉を開いた状態で、扉の裏面が現れている。拝顔の際には窓に近づき、拝顔用扉の裏面の刺繍の模様を目にすることになり、刺繍模様の施された棺は厳かな美観や豪華な感じがもたらされる。また、当然のことながら、拝顔用扉５の表側から刺繍がされていることによる、表面凹凸は観察できず、突板７もこれが貼り付けられる集成材８も、いずれも間伐材であることから、木質化粧板は一体のものと見え、拝顔用扉５の裏側に刺繍がされていることを予見させることがない。このため、拝顔用扉を開いたときに、刺繍がされていることの驚きと、その審美性によりさらに厳かな美観や豪華な印象を与えることができる。
【符号の説明】
【００１１】
１    棺
２    棺本体
３    蓋
４    拝顔用窓
５    拝顔用扉
６    刺繍
【図１】
0003193259.tif 000003
【図２】
0003193259.tif 000004
(57)【要約】      （修正有）【課題】通常時は、折り畳んで収容でき、防災時に、手軽に組み立てて、飲料水などを持ち運びできる六角柱状のケースを提供する。【解決手段】六角筒状の本体２と、六角形の蓋３と、六角形の底板からなり、本体２は、六角筒状の面の一つの上辺に、六角形の蓋３の一片を開閉可能性に取り付け、その面の下部に、六角形の底板の一片を、折り畳み可能に取り付け、他の面に、底板を支えるための長尺状の底板止を備えることにより、折り畳んで収納できるとともに、組み立てることで、物をいれて運べるようにする。【選択図】図１
0003193254.tif 000002
【実用新案登録請求の範囲】
【請求項１】
六角筒状の本体２と、六角形の蓋３と、六角形の低板４からなり、本体２は、六角筒状の面の一つの上辺に、六角形の蓋３の一片を開閉可能性に取り付け、その面の下部に、六角形の低板４の一片を、折り畳み可能に取り付け、他の面に、底板４を支えるための長尺状の底板止２１を備えることにより、折り畳んで収納できるとともに、組み立てることで、物をいれて運べるようにしたことを特徴とする六角筒状のケース。
【請求項２】
本体２の対抗する一対の面の、夫々に、平面状のホルダー５１を備え、持ち手５を、そのホルダーに通して、両端部をカシメ２５で本体２に取り付けたことを特徴とする請求項１記載の六角筒状のケース。
【考案の詳細な説明】
【技術分野】
【０００１】持ち運びできる六角筒状のケースに関する。
【背景技術】
【０００２】防災時には、バケツなどで飲料水を運ぶが、バケツは折り畳んで収納できず、置く場所が必要であった。
【先行技術文献】
【特許文献】
【０００３】
【特許文献１】  特開２００７−５７７公報
【考案の概要】
【考案が解決しようとする課題】
【０００４】通常時は、折り畳んで収容でき、防災時に、手軽に組み立てて、飲料水などを持ち運びできるようにしたケースはなかった。
【課題を解決するための手段】
【０００５】六角筒状の本体２と、六角形の蓋３と、六角形の低板４からなり、本体２は、六角筒状の面の一つの上辺に、六角形の蓋３の一片を開閉可能性に取り付け、その面の下部に、六角形の低板４の一片が、折り畳み可能に取り付け、他の面に、底板４を支えるための長尺状の底板止２１を備えることにより、折り畳んで収納できるとともに、組み立てたときに、その中に物をいれては運べるようにしたことを特徴とする六角筒状のケース。【０００６】本体２の対抗する一対の面の、夫々に、平面状のホルダー５１を備え、持ち手５を、そのホルダーに通して、両端部をカシメ２５で本体２に取り付けたことを特徴とする六角筒状のケース。
【考案の効果】
【０００７】折り畳んだ状態から、簡単に手軽に組み立てて、飲料水などを持ち運びできるケースを提供する。
【図面の簡単な説明】
【０００８】
【図１】  本考案の六角筒状のケースの外観図（組立後）  （ａ）蓋を閉じた状態  （ｂ）蓋を開いた状態
【図２】  本考案の六角筒状のケースの組み立て図
【考案を実施するための形態】
【０００９】図１は、本考案の六角筒状のケースの外観図で、（ａ）蓋を閉じた状態、（ｂ）は蓋を開いた状態を示す。
本考案の六角筒状のケースは、長方形に折り畳んで収納でき、防災時など、必要時に（ａ）のように持ち手付き、蓋付きのケースに組み立て、その中に、飲料水、小物をいれて運ぶことができる、六角筒状のケースである。
【００１０】図１に示すように、本考案の六角筒状のケース１は、六角筒状の本体２と、六角形の蓋３と、六角形の低板４と、持ち手５からなる。
本体２は、六角筒状で、その六角筒状の上片の一つに、六角形の蓋３の一片が開閉可能に取付部６１で取り付ける。蓋３を取り付けたのと同じ面の内面の、底部から少し上部に、六角形の低板４の一片を、取付部６２で折り畳み可能に取り付ける。その他の面には、底部から少し上部に、底板４を支えるための長尺状の底板止２１を底辺と並行に取り付ける。底板４を本体２の内側に折り曲げて、組み立てたときに、底板が、その底板止２１の上に載って支える。
六角筒状のケース１の本体２の六角筒状の対抗する面に、持ち手５をホルダー５１に通してカシメ２５で固定する。この持ち手５は、必要に応じて付けるもので、付けないで使用してもよい。
図１のように組み立てられた六角筒状のケース１は、蓋３と低板４を外側に展開して、押しつぶして、２つに折り畳んだ後、蓋３と低板４を内側に折り曲げることで長方形の形状にして収容できる。
【００１１】図２は、本考案の六角筒状のケースの組み立て図である。
本体２は、５つの折目７で、６つの面に区切られた長方形の樹脂シートを金型で形成し、その左端のノリシロ２２と、右端のノリシロ２３を溶着して取り付ける。
本体２の一つの面の上辺に、六角形の蓋３を取付部６１で、その面の下片に、六角形の底板４を取付部６２で、折り曲げ可能に取り付ける。
蓋と底板を取り付ける以外の各面には、底部から少し上部に、底板４を支えるための長尺状の底板止２１を本体２の底辺と平行方向に取り付ける。
さらに、蓋３には、蓋を閉めたときに固定するための取付部３１を備える。
取付部３１と、本体２には、夫々、留め２４を設ける。
本体２の六角の対抗する面の一つに、持ち手を保持するため平板状のホルダー５１をまん中に隙間があくように取り付け、持ち手５をホルダーの隙間に通して、両端をカシメ２５で固定する。
【産業上の利用可能性】
【００１２】この六角筒状のケースに、食品、飲料、化粧品などいれて持ち運ぶことができる。
折り畳みでき、持ち運びし易い六角筒状のケースを提供する。特に飲料水、水の持ち運びに防災用としても便利である。
【符号の説明】
【００１３】  １  六角筒状のケース
２  本体
２１  底板止
２２  ノリシロ
２３  ノリシロ
２４  留め
２５  カシメ
３  蓋
３１  取付部
４  底板
４１  のりしろ
５  持ち手
５１  ホルダー
６  取付部
６１、６２  取付部
７  折線
【図１】
0003193254.tif 000003
【図２】
0003193254.tif 000004
(57)【要約】      （修正有）【課題】ポケットの有・無の二種類の需要に対し、一つの製品で対応できるユニフォームのパンツを提供する。【解決手段】ユニフォームのウエスト部１に小片２を縫着し、この小片２にポケット３の上端を縫着してある。小片２に縫着したポケットを外す場合、その縫い目を外すか又は小片を切断して外すことができる。特に小片がシリコン樹脂である場合は、小片の切断部から糸くずなどが出るおそれがない。【選択図】図１
0003193299.tif 000002
【実用新案登録請求の範囲】
【請求項１】
ウエスト部に縫着した小片にポケット部を縫着したユニフォームのパンツ。
【請求項２】
ウエスト部に縫着した小片がシリコーン樹脂製である請求項１記載のパンツ。
【考案の詳細な説明】
【技術分野】
【０００１】
本考案はユニフォーム、特に食品工場で衛生と快適を目的として着用されるユニフォームのパンツに関するものである。
【背景技術】
【０００２】
この種のユニフォームが着用される作業場では着用者が私物を携帯しないようにポケットを設けないことが近時の傾向であるが、例えばロッカーキーなどの小物をポケットに入れて保持することが必要な場合もあり、ポケットの設置を求める需要者も少なくない。
【考案の概要】
【考案が解決しようとする課題】
【０００３】
このような情況で、ユニフォームの生産者はポケットの有・無の二種類のユニフォームを常に備えておく必要があった。
【０００４】
本考案は、ユニフォームのパンツのポケットを簡単に外せることを考案し、この問題を解決したものである。
【課題を解決するための手段】
【０００５】
本出願の請求項１記載の考案は、ユニフォームのパンツのウエスト部に小片を縫着し、その小片にポケットを縫着したものである。
【０００６】
本出願の請求項２記載の考案は、前記小片をシリコーン樹脂で構成したものである。
【考案の効果】
【０００７】
請求項１記載の考案は、パンツのウエスト部に小片を縫着し、その小片にポケットを縫着したことにより、ポケットを不要とする需要者に対しては、そのポケットを外して供給することができる。
【０００８】
請求項２記載の考案は、ポケットを縫着するための小片をシリコーン樹脂で構成したことにより、小片の切断部から糸くずなどが出るおそれがない。
【図面の簡単な説明】
【０００９】
【図１】本考案のパンツの内側に小片及びポケットを設置した様子を示す立面図であり、ポケットと蓋の重なった部分を示すために一部を破断してある。
【図２】図１に対応する縦断面図である。
【考案を実施するための形態】
【００１０】
本考案の実施例は図１、２に示すようにユニフォームのウエスト部１に小片２を縫着し、この小片２にポケット３の上端を縫着してある。４はポケット３の蓋である。
【００１１】
本考案は、上記のような構造より成るので、小片２に縫着したポケットを外す場合、その縫い目を外すか又は小片を切断して外すことができる。特に小片がシリコン樹脂である場合は、小片の切断部から糸くずなどが出るおそれがない。
【符号の説明】
【００１２】
１  パンツ
２  小片
３  ポケット
４  蓋
【図１】
0003193299.tif 000003
【図２】
0003193299.tif 000004
(57)【要約】      （修正有）【課題】多種多様な脚衣の柄やつま先部分の有無等が判別出来、収納スペースが削減できる収納具を提供する。【解決手段】脚衣２０が掛けられるハンガー１０であって所定方向に延びる本体１と、本体にその一端が接続具３を介して回転自在に取り付けられ、その端が本体の延びる方向とは異なる方向に延び、脚衣が巻き回される腕部２と、本体に設けられ本体を吊るすフック５と備える。【選択図】図２
0003193292.tif 000002
【実用新案登録請求の範囲】
【請求項１】
脚衣が掛けられるハンガーであって所定方向に延びる本体と、本体にその一端が回転自在に取り付けられ、その端が本体の延びる方向とは異なる方向に延び、脚衣が巻き回される腕部と、本体に設けられ本体を吊るすフックと備えるハンガー。
【考案の詳細な説明】
【技術分野】
【０００１】
本発明は、脚衣が掛けられるハンガーに関する。
【背景技術】
【０００２】
脚衣の種類は沢山ある。つま先部分のあるタイツ、足首までのスパッツ・レギンス、つまさき部分の無いト  レンカ、柄の有無。従来脚衣の収納は、引き出しに区分けされ収納されることが一般であった。
【０００３】
先行技術としては、脚衣の収納にはキャビネットや収納ボックス、引き出し内を区分けする間仕切り、靴下を掛け吊るすハンガーが提案されている。
【先行技術文献】
【特許文献】
【０００４】
【特許文献１】特開2004−202152号公報
【考案の概要】
【考案が解決しようとする課題】
【０００５】
次のような問題があった。
（イ）現在、冬に  なると一般的に黒い脚衣（タイツ、スッパツ、レギンス、トレンカ等）黒が主流となる。引き出しの中は真っ黒となり、自分の求める脚衣を取り出すのに一つ一つ広げてみなければならなかった。
（ロ）脚衣を工夫して畳んでもつま先部分や柄・生地の厚さを見るためには、崩さなければならなかった。
（ハ）  収納スペースも広く必要とする。
（ニ）  靴下ハンガーのハンガー腕部は靴下を掛け吊るす用途の物で巻き取り用の物ではなかった。
本発明は以上の問題を解決する為、多種多様な脚衣の柄やつま先部分の有無等が判別出来、収納スペースを削減させる目的とする。
【課題を解決するための手段】
【０００６】
脚衣が掛けられるハンガーであって所定方向に延びる本体と、本体にその一端が回転自在に取り付けられ、その端が本体の延びる方向とは異なる方向に延び、脚衣が巻き回される腕部と、本体に設けられ本体を吊るすフックと備えるハンガー。
【考案の効果】
【０００７】
本発明は多種多様な脚衣が容易に見分けられ、収納スペースも少なく、より簡単に選び出せるハンガーを提供することができる。
【図面の簡単な説明】
【０００８】
【図１】本発明の正面図である。
【図２】本発明の使用例である。
【考案を実施するための形態】
【０００９】
以下、本発明の実施形態について説明する。
脚衣が掛けられるハンガーであって所定方向に延びる本体（1）と、本体にその一端が回転自在に（3）が    取り付けられ、その端（4）が本体の延びる方向とは異なる方向に延び、脚衣が巻き回される腕部（2）と、本体に設けられ本体を吊るすフック（5）と備えるハンガー。
【実施例１】
【００１０】
本体（1）は、両サイドに延びる腕部を支える主軸となる。
【００１１】
腕部（2）は、脚衣の胴体部分より巻き取れる回転自在な棒状。
【００１２】
接続具（3）は、腕部（2）が回転可能となる本体（1）との接続具。
【００１３】
（4）は腕部（2）を容易に回転させられる取っ手。
【００１４】
（5）は本体（1）の角度が自在に変えられ、掛けられるフック。
【００１５】
本発明を使用する際はハンガ−として掛けて使用する。腕部（2）に脚衣の胴体部分より巻きつけ、つま先が見分けられるようつま先部分を外側にして巻き取る。
【００１６】
（イ）現在、冬になると一般的に黒いタイツが主流となる。引出しの中は真っ黒となり自分の求める脚衣を取り出すのに一つ一つ広げてみなければならなかった。
（ロ）脚衣を工夫して畳んでも、つま先部分や柄、生地の厚さを見るためには、崩さなければならなかった。
（ハ）収納スペ−スも、広く必要となる
【産業上の利用可能性】
【００１７】
多種多様な脚衣の判別が出来、収納スペースの削減が可能である。
【符号の説明】
【００１８】
１    本体
２    脚衣を巻き取る回転自在な腕部
３    本体と腕部を接続する回転可能接続具
４    腕部２を回転させる取っ手
５    本体を掛けるフック
１０  ハンガー
２０  脚衣
【図１】
0003193292.tif 000003
【図２】
0003193292.tif 000004
(57)【要約】      （修正有）【課題】インナーとしての着用を手軽にする５本指の靴下を提供する。【解決手段】５本指靴下を土踏まず３までの丈ａ、すなわち足の甲２までの丈にし、踵１なしで縁５は折り返さずに一重仕上げにする。５本指の踵なしの靴下を土踏まず丈にすることで着脱が手軽になり、踵１がないため左右両用が可能である。縁５の一重仕上げのため、靴下や靴を履いた時の厚みや違和感が少ない、着用のラインが外から見えにくい、土踏まず３まで丈があることでずれにくいなどの優れた点がある。【選択図】図１
0003193250.tif 000002
【実用新案登録請求の範囲】
【請求項１】
靴下の丈を踵なしの土踏まず丈にし、縁は一重仕上げであることを特徴とする５本指の靴下
【考案の詳細な説明】
【技術分野】
【０００１】  本考案は、インナーとして着用するための踵なしの５本指靴下に関するものである。
【背景技術】
【０００２】  従来、５本指靴下は、インナーとしての短い丈のものであっても、踵ありであった。
【先行技術文献】
【特許文献】
【０００３】
【特許文献１】特開２００３−１４７６０３号  広報
【考案の概要】
【考案が解決しようとする課題】
【０００４】  以上の技術によれば、５本指靴下の単独着用では各指収納部が露出し見た目が良くない。インナーとしての着用では、２枚重ねての着用で厚みが増し、踵があるため左右の別が存在し両用はできない、簡単に履き替えられないなど、足指の健康に良いことは分かっても手軽な着用はできなかった。本考案は、前述の問題点を解決しようというものである。
【課題を解決するための手段】
【０００５】  本考案は、５本指靴下を踵なしの土踏まず丈にし、縁は折り返さずに一重仕上げにすることにより問題点を解決している。
【考案の効果】
【０００６】  上述のように、本考案の、５本指の踵なしの靴下を土踏まず丈にすることで着脱が手軽になり、踵がないため左右両用が可能である。縁の一重仕上げのため、靴下や靴を履いた時の厚みや違和感が少ない、着用のラインが外から見えにくい、土踏まずまで丈があることでずれにくいなどの優れた点がある。小型化のため、履き替えや洗濯がより簡単になり、インナーとして着用することで、足指の健康に良い５本指靴下を手軽に着用できる。
【図面の簡単な説明】
【０００７】
【図１】本考案の一実施形態を示す斜視図
【図２】本考案の一実施形態を示す平面図
【考案を実施するための形態】
【０００８】  ５本指靴下の踵を作らず、土踏まず、足の甲までの丈とする。縁は折り返さずに一重仕上げにすることにより厚みを抑える。
この考案の一実施形態を、図１に示す。
【符号の説明】
【０００９】１  踵                ２  甲          ３  土踏まず          ４  各指収納部
５  縁                ６  踝
ａ  本考案の靴下丈    ｂ  先行技術文献１の靴下丈の上縁
【図１】
0003193250.tif 000003
【図２】
0003193250.tif 000004
(57)【要約】      （修正有）【課題】薬を容器内で入れ、薬をこぼさずに、簡単に包めるオブラートと容器の一体構造を提供する。【解決手段】オブラート５を逆円すい状に形成すると共に該外周につかみ６を形成して、容器１内に積層した。これにより、容器１内のオブラート５に薬８を直接入れることができ、入れた後、両側の指入れ口２に指先を挿し込んでつまみを持ち上げても、薬８はオブラート５の底にたまったままの状態であるので、薬８をこぼさずに包むことができる。したがって、手間がかからず簡単に包むことができるので病人にとっては、きわめて有益な考案である。また、使用後は、蓋を被せるようにしたので衛生的である。【選択図】図３
0003193248.tif 000002
【実用新案登録請求の範囲】
【請求項１】
円筒状の容器を深めに形成し、該容器の両側面上部に指先が入る指入れ口を縦状に開口し、該指入れ口の下部の内周には、リング状のオブラートのつかみ受けを水平に取り付け、該オブラートのつかみ受けの内周には逆円すい状のオブラート入れを取り付け、また、オブラートのつかみ受けとオブラート入れに適合する逆円すい状のオブラートを形成し、且、オブラートのつかみ受けに適合するつかみをオブラートの外周に水平に形成し、斯様に形成したオブラートをオブラート入れに積層し、また、指入れ口まで被さる蓋を形成した薬を包みやすくしたオブラートと容器の一体構造。
【考案の詳細な説明】
【技術分野】
【０００１】  本考案は薬を包みやすくしたオブラートと容器の一体構造に関するものである。
【背景技術】
【０００２】  従来、病人にとっては、オブラートで薬を包むことは難しく、こぼれることが多かった。この対策として各種の方策が市販されているが、却って、手間がかかっている。
【考案の概要】
【考案が解決しようとする課題】
【０００３】  水平状のつかみを形成した円すい状のオブラートを、容器と一体に形成し、病人でも、薬をこぼさず、確実に包むことができるようにしたものである。
【課題を解決するための手段】
【０００４】  本考案の実施例を図について説明すると、円筒状の容器を深めに形成し、該容器の両側面上部に指先が入る指入れ口を縦状に開口し、該指入れ口の下部の内周には、リング状のオブラートのつかみ受けを水平に取り付け、該オブラートのつかみ受けの内周には、逆円すい状のオブラート入れを取り付け、また、オブラートのつかみ受けとオブラート入れに適合する逆円すい状のオブラートを形成し、且、オブラートのつかみ受けに適合するつかみをオブラートの外周に水平に形成し、斯様に形成したオブラートをオブラート入れに積層し、また、指入れ口まで被さる蓋を形成したものである。
なお、容器に積層するオブラートは、市販されている平面オブラートが２００枚入りがあるので、本考案においても、最低２００枚の積層が可能である。
また、本考案はオブラート入れを取り付けたが、オブラートだけで円すい形を保持できるのて、場合により、オブラート入りを取り付けなくもよい。
【考案の効果】
【０００５】  上述のように、本考案は、オブラートを逆円すい状に形成し、口を上に向けて大きく開口したので、容器内で薬を直接入れられ、入れた後、図３のように、指入口からつまみを持ち上げて包むことができる。
なお、このとき、つかみは水平に形成したので、つかみをつかんで持ち上げやすく、包みやすい。
また、オブラートは逆円すい状に形成して口を上に向けて大きく開口したので、薬を入れやすく、オブラートを持ち上げても、薬は底にたまったままの状態にすることができるので、薬をこぼさずに包むことができる。
このように、本考案は、オブラートと容器を一体構造に形成して、薬をこぼさずに包み、手間がかからないようにしたので、病人にとっては、きわめて有益な考案である。また、使用後は、蓋を被せるようにしたので衛生的である。
【図面の簡単な説明】
【０００６】
【図１】図２の線Ａ−Ａの縦断正面図
【図２】図１の蓋とオブラートを外した場合の平面図
【図３】本考案の使用例を示す図
【考案を実施するための形態】
【０００７】  本考案はオブラートを逆円すい状に形成すると共に該外周は、水平のつかみを形成して容器に積層し、該容器内で薬を入れ、薬をこぼさずに包めるようにしたものである。
【実施例】
【０００８】  本考案の実施例を図について説明すると、１はオブラートを積層するために形成した深めの容器、２は容器１の両側面上部に縦状に開口した指入れ口、３は指入れ口２下部内周に水平に取り付けたリング状のオブラートののつかみ受け、４はオブラートのつかみ受け３の内周に取り付けた逆円すい状のオブラート入れ、５はオブラートのつかみ受け３とオブラート入れ４に適合する逆円すい状のオブラート、６はオブラートのつかみ受け３に適合するつかみで、オブラート５の外周に水平に形成し、オブラート入れ４に積層ている。７は蓋で指入れ口２まで被さるように形成している。なお、８は薬を示す。
【符号の説明】
【０００９】１  容器
２  指入れ口
３  オブラートのつかみ受け
４  オブラート入れ
５  オブラート
６  つかみ
７  蓋
８  薬
【図１】
0003193248.tif 000003
【図２】
0003193248.tif 000004
【図３】
0003193248.tif 000005